(57)【特許請求の範囲】
【請求項１】
車輪のリムに両面粘着テープを介して接着する貼付けバランスウエイトにおいて、
前記両面粘着テープは、ウエイト本体接着側剥離紙とウエイト本体非接着側剥離紙との間に両面粘着部を挟み、
この両面粘着テープをウエイト本体よりも幅広に形成し、この両面粘着テープの、ウエイト本体に接着すべき接着部分とウエイト本体よりはみ出る余剰部分との境界にウエイト本体接着側から、ウエイト本体非接着側剥離紙を残して切込み線を入れるとともに、接着部分のウエイト本体接着側剥離紙を取り除いて両面粘着テープをウエイト本体に接着し、前記余剰部分を摘み片としたことを特徴とする剥離紙除去機構。
【発明の詳細な説明】
【技術分野】
【０００１】
本発明は、両面粘着テープを介して車輪のリム内周面等の取付対象面に貼着することにより、車輪の回転バランスを調節する貼付けバランスウエイトの剥離紙除去機構に関するものである。
【背景技術】
【０００２】
特許文献１に記載のホイールバランスウェイト（貼付けバランスウエイト）は、車輪のリム内周面等の取付対象面に貼着するべき貼付底面を有するウエイト本体と、その貼付底面に付着固定した両面粘着テープと、この両面粘着テープの表面を剥離紙で剥離可能に覆って構成される。その剥離紙の一部は側方に延出することにより、所定重量にプレス成形等による低コストのウエイト本体とともに、コストを抑えて剥離操作用の摘み片を形成したものである。この摘み片を作業者が手指で摘まんで操作することにより、剥離紙を速やかに剥がして除去することができるので、車輪のリム内周面等の取付対象面の所定位置に能率良く貼着固定することができる。
【０００３】
しかし、上記貼付けバランスウエイトの両面粘着テープは、剥離操作に必要な張り出し寸法の摘み片を含めて大きなコストを占める一方で、その張り出し寸法を小さくすると操作性が低下する上に、薄い平滑な剥離紙は、エッジ状の縁が低温硬化によって刃物と同様となるので、気をつけないと、摘み片を手指で摘まむ際に刺さったりして指先に傷を負うことがあった。特に、冬季の低温環境下において、段取り工程や、点検作業等の際に慎重な取扱いが要求されるので、作業能率の低下による作業コストの増大を招くという問題を内包していた。
【特許文献１】実用新案登録第３０６６９４５号公報
【発明の開示】
【発明が解決しようとする課題】
【０００４】
解決しようとする問題点は、低温環境下においても、簡易な構成の貼付けバランスウエイトについてその製造コストを抑えつつ、剥離紙の摘み片の操作性を確保して貼着作業を安全に能率良く進めることが可能な貼付けバランスウエイトを提供することにある。
【課題を解決するための手段】
【０００５】
請求項１に係る発明は、車輪のリムに両面粘着テープを介して接着する貼付けバランスウエイトにおいて、前記両面粘着テープは、ウエイト本体接着側剥離紙とウエイト本体非接着側剥離紙との間に両面粘着部を挟み、この両面粘着テープをウエイト本体よりも幅広に形成し、この両面粘着テープの、ウエイト本体に接着すべき接着部分とウエイト本体よりはみ出る余剰部分との境界にウエイト本体接着側から、ウエイト本体非接着側剥離紙を残して切込み線を入れるとともに、接着部分のウエイト本体接着側剥離紙を取り除いて両面粘着テープをウエイト本体に接着し、前記余剰部分を摘み片として剥離紙除去機構を構成することを特徴とする。
【０００６】
上記貼付けバランスウエイトは、ウエイト本体の一側に付着固定した両面粘着テープのウエイト本体非接着側剥離紙を剥がして取付対象面にウエイト本体を貼付することができる。このウエイト貼着作業において、剥離紙除去機構としての両面粘着テープの余剰部分を摘み片として手指で摘まんで操作することによってウエイト本体非接着側剥離紙が剥離除去される。
【発明の効果】
【０００７】
請求項１の構成の貼付けバランスウエイトは、ウエイト本体の一側に付着固定した両面粘着テープのウエイト本体非接着側剥離紙を剥がして取付対象面にウエイト本体を貼付する際に、余剰部分による摘み片を手指で摘まんで操作することによってウエイト本体非接着側剥離紙が剥離除去される。
したがって、手指で操作するべき摘み片が、剥離紙と対比して十分な厚さ寸法を有することから、剥離紙のエッジによる受傷を防止できる上に、余剰部分の張り出し寸法が小さくても操作性を確保することができるので、大きなコストを占める両面粘着テープのコスト低減を図ることができる。
【発明を実施するための最良の形態】
【０００８】
本発明の実施の形態について、以下に図面に基づいて詳細に説明する。
図１は、参考例による貼付けバランスウエイトの平面図（ａ）およびそのＢ矢視図（ｂ）である。
貼付けバランスウエイト１ａは、所定質量のウエイト本体２と、このウエイト本体２に付着固定した両面粘着部３とから構成され、この両面粘着部３の非接着側の表面には剥離可能に覆う剥離紙４とその剥離操作用の摘み片（剥離紙除去機構）５とを備える。
【０００９】
ウエイト本体２は、鉄板プレス等により略矩形平板状に成形して防錆処理したものであり、車輪のリム内周面等の取付対象面に貼着するための貼付底面２ａを一側に有し、必要により、これを僅かに中高の円柱曲面に形成する。両面粘着部３は、ウレタンテープ等の基材を挟んでその上下両面に粘着剤を塗布して構成され、その表裏の粘着面は、剥離紙４で覆って当初両面粘着テープとして供給され、これをウエイト本体２の貼付底面２ａの形状に形成し、一方の剥離紙を剥離してウエイト本体２の一側の貼付底面２ａに付着固定する。
【００１０】
剥離紙４は、両面粘着部３の粘着表面を平滑コーティング等によって剥離可能に覆う保護シートであり、残留する非接着側の剥離紙４は、少なくとも、表面の一部（必要により外周部分）に接着固定を可能とする粗面状の難剥離部Ａを粗面コーティング処理やブラシ掛け処理等の被着面処理によって形成する。摘み片５は、手指により摘まんで剥離操作するのに適する柔らかさを有する紙片等の材料による摘み片部材である。その片面の一端には接着剤を塗布し、剥離操作に適する長さにウエイト本体２の貼付底面２ａの外方に張り出して剥離紙４の難剥離部Ａに接着固定する。
【００１１】
上記構成の貼付けバランスウエイト１ａは、ウエイト本体２の貼付底面２ａに付着固定した両面粘着部３により、剥離紙４を剥がして取付対象面にウエイト本体２を貼付することができる。このウェート貼着作業において、剥離紙４の表面の難剥離部Ａに固着された摘み片５を手指で摘まんで操作することにより、同難剥離部Ａを介して剥離紙４が剥離除去される。
【００１２】
このように、剥離紙４に触れることなく摘み片５によって容易に剥離紙４を除去することができることから、ウエイト本体２の貼付底面２ａの範囲内に剥離紙４の大きさを限定することにより、表裏の剥離紙で覆った態様の両面粘着テープのコストを必要最小限度に抑えることができる。また、剥離紙４の材料がその剥離特性要件から限定されるのに対し、各種の摘み片部材から選択して摘み片５を形成することが可能なことから、温度条件によることなく、剥離操作用つまみとして良好な取扱性を確保することができる。
【００１３】
次に、本発明の構成例による貼付けバランスウエイトについて説明する。以下において、前記同様の部材はその符号を付すことによって説明を省略する。
図２は、構成例による貼付けバランスウエイト１ｂの平面図（ａ）およびそのＢ矢視拡大図（ｂ）である。
貼付けバランスウエイト１ｂは、所定質量のウエイト本体２と、このウエイト本体２に付着固定した両面粘着テープとから構成され、この両面粘着テープは、両面粘着部３とこの両面接着部３を剥離可能に覆うウエイト本体非接着側剥離紙４、ウエイト本体接着側剥離紙（図示せず）とその剥離操作用の摘み片（剥離紙除去機構）とを備える。
【００１４】
上記摘み片は、ウエイト本体２に付着固定した両面粘着テープがウエイト本体２よりはみ出した余剰部分により構成する。この余剰部分は、両面粘着部の余剰部分６の表裏をそれぞれ覆うウエイト本体非接着側剥離紙の余剰部分４ａ，ウエイト本体接着側剥離紙の余剰部分７を備え、これらは両面粘着テープが当初供給された状態で付設されているものの一部である。すなわち、剥離紙で表裏の粘着面を覆って当初供給された両面粘着部３をウエイト本体２の貼付底面２ａの側方に延出部Ｌを設けた大きさに形成し、この両面粘着テープには、ウエイト本体２の貼付底面２ａと延出部Ｌとの境界に、ウエイト本体２側からウエイト本体非接着側剥離紙４（その余剰部分４ａを含む）を残して切込みＣを入れ、対応するウエイト本体接着側剥離紙（図示せず）を剥がしてウエイト本体２の貼付底面２ａに付着固定する。このようにして、所定の張出し長さＬの両面粘着テープの余剰部分、すなわち両面粘着部の余剰部分６，ウエイト本体非接着側剥離紙の余剰部分４ａ，ウエイト本体接着側剥離紙の余剰部分７をウエイト本体２の側方に残留することにより、両面粘着テープ余剰部分６，ウエイト本体接着側剥離紙の余剰部分７、ウエイト本体非接着側剥離紙の余剰部分４ａがウエイト本体２側の剥離紙４と連結した摘み片として形成される。
【００１５】
上記構成の貼付けバランスウエイト１ｂは、ウエイト本体２の貼付底面２ａに付着固定した両面粘着部３により、剥離紙４を剥がして取付対象面にウエイト本体２を貼付することができる。このウェート貼着作業において、余剰部分６、４ａ，７によって構成される摘み片を手指で摘まんで操作することにより、ウエイト本体非接着側剥離紙の余剰部分４ａと一体のウエイト本体２側の剥離紙４が剥離除去される。
【００１６】
したがって、手指で操作するべき摘み片が、剥離紙４と対比して十分な厚さ寸法を有することから、低温環境下における同剥離紙４の薄いエッジによる受傷を防止できる。また、摘み片は、その厚さの故に掴み易くなるので、薄い剥離紙４の場合に５ｍｍ以上を要していた摘み片の張り出し寸法を３ｍｍにまで低減することができるので、大きなコストを占める両面粘着テープのコストを抑えることができる。
【図面の簡単な説明】
【００１７】
【図１】参考例の平面図（ａ）およびそのＢ矢視図（ｂ）である。
【図２】構成例の平面図（ａ）およびそのＢ矢視拡大図（ｂ）である。
【符号の説明】
【００１８】
１ａ  貼付けバランスウエイト（参考例）
１ｂ  貼付けバランスウエイト（構成例）
２  ウエイト本体
２ａ  貼付底面
３  両面粘着部
４  ウエイト本体非接着側剥離紙
４ａ ウエイト本体非接着側剥離紙の余剰部分（剥離紙除去機構）
５  摘み片（剥離紙除去機構）
６  両面粘着部の余剰部分（剥離紙除去機構）
７  ウエイト本体接着側剥離紙の余剰部分（剥離紙除去機構）
Ａ  難剥離部
Ｃ  切込み線
Ｌ  延出部張出し寸法
【図１】
0004624839.tif 000002
【図２】
0004624839.tif 000003